(57)【要約】本発明は、機械室の床面積を少なくできるエレベータ装置を得ることを目的としてなされたものである。  その構成は、制御盤が、その上面を機械室の天井に近接して配置された水平軸周りに回動可能に支持されて配設され、回動機構により、機械室の天井に沿った収納位置と、機械室の天井から垂下された保守点検位置とを移動可能に構成されている。  これにより、機械室内の機器の設置スペースおよび保守点検スペースを効率的に活用でき、機械室の床面積が縮小化される。
2004074156.tif 000002
【特許請求の範囲】
【請求項１】
機械室内に巻き上げ機および制御盤を設置したエレベータ装置において、上記制御盤は、その上面を上記機械室の天井に近接して配置された水平軸周りに回動可能に支持されて配設され、回動機構により、上記機械室の天井に沿った収納位置と、上記機械室の天井から垂下された保守点検位置とを移動可能に構成されていることを特徴とするエレベータ装置。
【請求項２】
上記制御盤は、上記巻き上げ機の設置領域の鉛直方向上方を避けて配設されていることを特徴とする請求項１記載のエレベータ装置。
【請求項３】
上記回動機構は、上記昇降路の側壁に取り付けられた駆動部と、転回シーブに掛け渡され、一端が上記制御盤の底面に固着され、他端側が上記駆動部に巻き付けられた牽引部材とを備え、上記駆動部により、該牽引部材を巻き取って上記制御盤を収納位置に移動させ、上記牽引部材を繰り出して上記制御盤を保守点検位置に移動させるように構成されていることを特徴とする請求項１又は請求項２記載のエレベータ装置。
【発明の詳細な説明】
【技術分野】  この発明は、機械室にエレベータ運転用の制御盤を設置したエレベータ装置に関するものである。
【背景技術】  従来のエレベータ装置では、例えば特開昭５１−３７４５０号公報に記載されているように、巻き上げ機、調速機、制御盤、電源設備等の機器が、一連のベース上に取り付けられて機械室内に平面的に設置されていた。しかし、各機器は、保守点検スペースを確保して機械室内に設置されることから、機械室の必要床面積が大きくなってしまうという不具合があった。そして、この機械室の床面積の増大は建物のレイアウト上の制約の要因となることから、機械室の床面積の縮小化が望まれていた。
そこで、例えば実開昭６０−１６２５５８号公報には、機械室の側壁に固定金具を固定し、制御盤を固定金具に取り付けることが示されている。そして、制御盤は、その前面と上面の前面側とを一体として開閉可能に構成され、保守点検時に、制御盤の開閉部分をあけて作業を行う。しかしながら、制御盤が機械室の側壁に取り付けられていることから、保守点検スペースの観点から、制御盤の近傍には他の機器を設置できなくなる。従って、制御盤の下部側のスペースが有効に活用されず、その分機械室の床面積を増大させることになる。
また、例えば特開昭６１−２２１０７５号公報には、制御盤を巻き上げ機に近接する第１位置と巻き上げ機から離間する第２位置との間を水平方向に移動可能に機械室内に設置することが示されている。そして、制御盤を第２位置に移動させて、巻き上げ機の保守点検を行い、制御盤を第１位置に移動させて、制御盤の保守点検を行う。しかしながら、第２位置に位置する制御盤のスペースを確保する必要があり、さらに制御盤の移動空間内には他の機器を設置できなくなり、機械室の床面積の縮小化が図れなかった。
【発明の開示】
本発明は、制御盤を機械室の天井に沿った収納位置と天井から垂下された保守点検位置とをとるように設置して、機械室内の機器の設置スペースおよび保守点検スペースを効率的に活用できるようにし、機械室の床面積を縮小化できるエレベータ装置を得るものである。
本発明によるエレベータ装置は、制御盤が、その上面を機械室の天井に近接して配置された水平軸周りに回動可能に支持されて配設され、回動機構により、機械室の天井に沿った収納位置と、機械室の天井から垂下された保守点検位置とを移動可能に構成されているものである。
【図面の簡単な説明】  図１は本発明による実施の形態１に係るエレベータ装置の機械室を模式的に示す平面図である。
図２は本発明による実施の形態１に係るエレベータ装置の機械室を模式的に示す縦断面図である。
図３は本発明による実施の形態２に係るエレベータ装置における回動機構の駆動部周りを示す要部斜視図である。
図４は本発明による実施の形態３に係るエレベータ装置の機械室を模式的に示す縦断面図である。
【発明を実施するための最良の形態】  以下、この発明の好適な実施の形態について図面を参照して説明する。
実施の形態１．
図１は本発明による実施の形態１に係るエレベータ装置の機械室を模式的に示す平面図、図２は本発明による実施の形態１に係るエレベータ装置の機械室を模式的に示す縦断面図である。
図１および図２において、機械室２は、乗りかご（図示せず）が昇降する昇降路１の上部に設けられている。そして、機械台ビーム４が支持台３を介して機械室２の床上に設置されている。さらに、巻き上げ機台５が機械台ビーム４上に組み付けられ、巻き上げ機６が巻き上げ機台５上に設置されている。
主ロープ７は、巻き上げ機６の綱車に巻き掛けられ、昇降路１内に垂下されている。そして、昇降路１内に垂下された主ロープ７の一方は、乗りかごの吊車（図示せず）に掛けられて折り返され、その端部が綱止め８に固定されている。また、昇降路１内に垂下された主ロープ７の他方は、釣り合いおもりの吊車（図示せず）に掛けられて折り返され、その端部が綱止め９に固定されている。
さらに、機械室２内には、調速機１０、電源設備１１、付属電気機器設備１２等が設置されている。
制御盤１３は、直方体形状（高さ＞幅＞奥行き）の箱体であり、エレベータ運転用の機器が内部に収納されている。そして、制御盤１３の前面１３ａが蝶番等により開閉自在に構成され、保守面となる。また、一対の取付金具１４が制御盤１３の上面１３ｂの奥行き方向の中央部に制御盤１３の幅方向に離間して立設されている。さらに、フック１５が制御盤１３の底面１３ｃの幅方向の中央部に取り付けられている。
一対の固定金具１６が機械室２の天井２ａに所定距離離間して固定され、水平軸としての回動軸１７が軸心を水平として一対の固定金具１６間に架設されている。そして、取付金具１４が回動軸１７に回動自在に取り付けられている。これにより、制御盤１３が、回動軸１７周りに回動自在に支持されて天井２ａに取り付けられている。そこで、制御盤１３は、回動軸１７周りに回動し、その背面１３ｄを機械室２の天井２ａに沿った収納位置（図２中実線で示す位置）と、機械室２の天井２ａから垂下する保守点検位置（図１中斜線で示す部位、図２中点線で示す位置）とをとる。
この時、制御盤１３が収納位置にある時に、制御盤１３の背面１３ｄが機械室２の天井２ａに衝突しないように、取付金具１４、固定金具１６および回動軸１７の位置関係が設定されている。また、制御盤１３が保守点検位置にある時に、制御盤１３が巻き上げ機６と干渉しないように配置されている。さらに、回動軸１７の軸心方向が機械台ビーム４の延設方向と平行にされ、制御盤１３が鉛直方向に関して巻き上げ機６と重ならないようになっている。即ち、制御盤１３は、巻き上げ機６の設置領域の鉛直方向上方を避けて配設されている。
また、駆動部としての手巻きハンドル１９を備えた巻き取りシーブ１８が収納位置にある制御盤１３の底面１３ｃに相対する機械室２の側壁２ｂに取り付けられ、転回シーブ２０が巻き取りシーブ１８とフック１５との間に位置するように機械室２の天井２ａに取り付けられている。そして、フック１５、巻き取りシーブ１８および転回シーブ２０は、同一鉛直面に位置し、回動軸１７、巻き取りシーブ１８および転回シーブ２０の軸心が互いに平行になっている。また、巻き取りシーブ１８に巻き付けられている牽引部材としてのワイヤ２１が、繰り出されて転回シーブ２０に掛け渡されて、先端をフック１５に固着されている。さらに、図示していないが、爪車が巻き取りシーブ１８に一体に取り付けられ、送り爪が巻き取りシーブ１８の取付金具に取り付けられ、送り爪が爪車に係合し、巻き取りシーブ１８のワイヤ繰り出し方向の回転を阻止するように構成されている。この送り爪と爪車とから一方向クラッチを構成している。ここで、巻き取りシーブ１８、手巻きハンドル１９、転回シーブ２０およびワイヤ２１が回動機構を構成している。
なお、図中、符合２２は機械室２の出入り口、Ｍは作業者を示している。
このように構成されたエレベータ装置では、通常時には、ワイヤ２１が巻き取りシーブ１８に巻き取られて、制御盤１３は機械室２の天井２ａに沿った収納位置に位置している。そして、送り爪が巻き取りシーブ１８の爪車に係合して、ワイヤ繰り出し方向の巻き取りシーズ１８の回転が阻止され、制御盤１３が収納位置に保持されている。この収納位置にある制御盤１３は、前面１３ａを水平とする姿勢をとり、制御盤１３の下部スペースが広くなっている。そこで、作業者Ｍは出入り口２２から機械室２に入り、制御盤１３に影響されずに他の機器の点検作業を行うことができる。
そして、制御盤１３の保守点検時には、作業者Ｍは、巻き取りシーブ１８の爪車と送り爪との係合状態を解除して、手巻きハンドル１９を操作してワイヤ２１を繰り出す。これにより、制御盤１３は、回動軸１７周りに回動し、機械室２の天井２ａから垂下した保守点検位置に移動する。この保守点検位置に位置する制御盤１３は、前面１３ａの長手方向（高さ方向）を鉛直とする縦置きの姿勢をとる。そこで、作業者Ｍは、制御盤１３の前面１３ａを開け、保守点検作業を行うことになる。そして、保守点検が終了すれば、制御盤１３の前面１３ａを閉め、手巻きハンドル１９を操作してワイヤ２１を巻き取りシーブ１８に巻き取る。この時、巻き取りシーブ１８はワイヤ巻き取り方向にスムーズに回転し、ワイヤ繰り出し方向の回転は、送り爪と巻き取りシーブ１８の爪車との係合により阻止され、制御盤１３の不意の垂下が防止される。これにより、制御盤１３は、回動軸１７周りに回動し、背面１３ｄが機械室２の天井２ａに沿った収納位置に戻る。
このように、この実施の形態１によれば、制御盤１３が、その背面１３ａを機械室２の天井２ａに沿わせた収納位置と、機械室２の天井２ａから垂下する保守点検位置とを移動可能に構成されているので、機械室２における機器の設置スペースおよび保守点検スペースを効率的に活用できるようになり、機械室２の床面積を少なくすることができる。そこで、建物のレイアウトの自由度が高められる。
また、保守点検位置に位置する制御盤１３の高さ方向が鉛直方向となっているので、制御盤１３を通常の縦置きの状態で保守点検でき、保守点検作業性を悪化させることもない。
また、制御盤１３は、床面からの高さが高くなる巻き上げ機６の設置領域の鉛直方向上方を避けて配設されているので、制御盤１３を天井に２ａに設置することに起因する天井高さの増大が抑えられ、建物が高くなるのを抑えることができる。
なお、上記実施の形態１では、フック１５、巻き取りシーブ１８および転回シーブ２０を同一鉛直面に位置するように配設するものとしているが、巻き取りシーブ１８と転回シーブ２０とのワイヤ２１の経路中に転回シーブを設置し、巻き取りシーブ１８の取付位置を該鉛直面からシフトさせてもよい。この場合、巻き取りシーブ２８の取付位置の自由度を増やすことができる。
また、上記実施の形態１では、転回シーブ２０を昇降路２の天井２ａに取り付けるものとしているが、転回シーブ２０を収納位置に位置する制御盤１３の底面１３ｃに対向する側壁２ｂの天井２ａ付近に取り付けてもよい。
実施の形態２．
図３は本発明による実施の形態２に係るエレベータ装置における回動機構の駆動部周りを示す要部斜視図である。
図３において、電動モータ２５が機械室２の側壁２ｂに取り付けられた取付板２６に取り付けられ、電動モータ２５の回転トルクが減速機構部２７を介して回転軸２８に伝達されるようになっている。そして、巻き取りシーブ１８が回転軸２８に固着されている。ここで、巻き取りシーブ１８、電動モータ２５、減速機構部２７および回転軸２８が回動機構の駆動部を構成している。
なお、この実施の形態２では、手巻きハンドル１９に代えて電動モータ２５、減速機構部２７および回転軸２８を用いている点を除いて、上記実施の形態１と同様に構成されている。
この実施の形態２では、電動モータ２５を回転駆動することで、電動モータ２５の回転トルクが減速機構部２７および回転軸２８を介して巻き取りシーブ１８に伝達され、巻き取りシーブ１８が回転駆動される。
そこで、電動モータ２５を正方向に回転駆動することで、ワイヤ２１が巻き取りシーブ１８に巻き取られ、制御盤１３が保守点検位置から収納位置に移動される。また、電動モータ２５を逆方向に回転駆動することで、ワイヤ２１が巻き取りシーブ１８から繰り出され、制御盤１３が収納位置から保守点検位置に移動される。
従って、この実施の形態２においても、上記実施の形態１と同様の効果を奏する。
また、この実施の形態２では、駆動部として電動モータ２５を用いているので、作業者Ｍによる制御盤１３の移動作業負荷が著しく軽減される。
実施の形態３．
図４は本発明による実施の形態３に係るエレベータ装置の機械室を模式的に示す縦断面図である。
図４において、駆動部としての手巻きハンドル１９を備えた巻き取りシーブ１８が収納位置にある制御盤１３の上面１３ｂに相対する機械室２の側壁２ｃに取り付けられ、転回シーブ２０Ａが機械室２の側壁２ｂとフック１５との間に位置するように機械室２の天井２ａに取り付けられ、転回シーブ２０Ｂが巻き取りシーブ１８の上方に位置するように機械室２の天井２ａに取り付けられている。そして、フック１５、巻き取りシーブ１８および転回シーブ２０Ａ、２０Ｂは、同一鉛直面に位置し、回動軸１７、巻き取りシーブ１８および転回シーブ２０Ａ、２０Ｂの軸心が互いに平行になっている。また、巻き取りシーブ１８に巻き付けられている牽引部材としてのワイヤ２１が、繰り出されて転回シーブ２０Ａ、２０Ｂに掛け渡されて、先端をフック１５に固着されている。ここで、巻き取りシーブ１８、手巻きハンドル１９、転回シーブ２０Ａ、２０Ｂおよびワイヤ２１が回動機構を構成している。
なお、他の構成は、上記実施の形態１と同様に構成されている。
このように構成されたエレベータ装置においても、手巻きハンドル１９を操作してワイヤ２１を巻き取りシーブ１８に巻き取り、制御盤１３を機械室２の天井２ａに沿った収納位置に位置させることができる。また、手巻きハンドル１９を操作してワイヤ２１を巻き取りシーブ１８から繰り出し、操作盤１３を機械室２の天井２ａから垂下した保守点検位置に位置させることができる。
従って、この実施の形態３においても、上記実施の形態１と同様の効果が得られる。
また、この実施の形態３において、手巻きハンドル１９に代えて電動モータ２５、減速機構部２７および回転軸２８を用いてもよいことは言うまでもないことである。
なお、上記各実施の形態では、牽引部材としてワイヤ２１を用いるものとして説明しているが、牽引部材はワイヤ２１に限定されるものではなく、例えばチェーンを用いてよい。この場合、巻き取りシーブ１８および転回シーブ２０はチェーンに歯合する歯部を外周部に形成することになる。
また、上記各実施の形態では、収納位置に位置する制御盤１３は、その背面１３ｄが天井２ａに面するように配設されるものとしているが、制御盤１３は、前面１３ａが天井２ａに面するように配設されてもよい。
【産業上の利用可能性】  以上のように、本発明にかかるエレベータ装置は、機械室の床面積を少なくでき、建物のレイアウトの自由度を高めることができるエレベータ装置として有用である。
【図１】
2004074156.tif 000003
【図２】
2004074156.tif 000004
【図３】
2004074156.tif 000005
【図４】
2004074156.tif 000006
【国際調査報告】
2004074156.tif 000007
2004074156.tif 000008
2004074156.tif 000009
2004074156.tif 000010